(57)【要約】  動的なセクター生成のための方法を開示する。方法は、セルの第１のセクターが過負荷であることを決定することを含む。方法はまた、第１のセクター内に第２のセクターを生成させることを含む。方法はさらに、第１のセクターから第２のセクターに１つ以上の移動局を移行することを含む。【選択図】    図６
2012504370.tif 000002
【特許請求の範囲】
【請求項１】
動的なセクター生成のための方法において、
セルの第１のセクターが過負荷であることを決定することと、
前記第１のセクター内に第２のセクターを生成させることと、
前記第１のセクターから前記第２のセクターに１つ以上の移動局を移行することとを含む方法。
【請求項２】
前記セルの第１のセクターが過負荷であることを決定することは、前記第１のセクターの負荷を負荷しきい値と比較することを含み、前記第１のセクターの負荷が前記負荷しきい値よりも大きい場合に、前記第１のセクターは過負荷である請求項１記載の方法。
【請求項３】
多重ビームアンテナを使用して、前記第１のセクターの一部として、２つ以上の移動局と通信することと、
前記第２のセクター中で使用するために、前記多重ビームアンテナの１つ以上のビームを識別することと、
前記第２のセクター中で使用するために識別した１つ以上のビームで通信している１つ以上の移動局を識別することと、
前記１つ以上の移動局にハンドオフメッセージを送ることとをさらに含む請求項１記載の方法。
【請求項４】
前記第２のセクターとして動作するように、前記１つ以上のビームを再割り振りすることをさらに含む請求項３記載の方法。
【請求項５】
前記再割り振りした１つ以上のビームを使用して、前記第２のセクターの一部として、前記識別した１つ以上の移動局と通信することをさらに含む請求項４記載の方法。
【請求項６】
ドナーセルからリソースを割り振ることをさらに含み、
前記ドナーセルからリソースを割り振ることは、
前記第２のセクターに対する前記ドナーセルとして動作するように、中継器範囲内のより小さい負荷を持つセルを選択することと、
前記ドナーセルと前記第２のセクター中の移動局との間の通信を中継することとを含む請求項４記載の方法。
【請求項７】
前記第１のセクターの一部として、２つ以上の移動局と通信することは、第１の擬似ノイズ（ＰＮ）コードを使用することを含み、前記第２のセクターとして動作するように、前記１つ以上のビームを再割り振りすることは、前記第２のセクターとして動作する前記１つ以上のビームにより、第２のＰＮコードを使用することを含む請求項４記載の方法。
【請求項８】
前記方法は基地局により実行される請求項１記載の方法。
【請求項９】
前記ハンドオフメッセージは、ユニバーサルハンドオフディレクションメッセージ（ＵＨＤＭ）と、拡張されたハンドオフディレクションメッセージと、アクティブセット更新メッセージとから成るグループから選択される請求項３記載の方法。
【請求項１０】
前記負荷しきい値は、セクター中の、移動局の数と、リバース信号電力と、ハンドオフ統計値と、リバースパイロット報告と、セクターノイズフロアと、セクター音声アクティビティとのうちの少なくとも１つに基づいている請求項２記載の方法。
【請求項１１】
前記第１のセクターの一部として、１つ以上の移動局と通信することと、
前記第２のセクターの一部として、１つ以上の移動局と通信することと、
前記第２のセクターから前記第１のセクターに１つ以上の移動局を移行することと、
前記第２のセクターをなくすこととをさらに含む請求項１記載の方法。
【請求項１２】
前記第１のセクターおよび前記第２のセクターの負荷を最小負荷しきい値と比較することと、前記負荷が前記最小負荷しきい値よりも小さい場合に、前記第１のセクターに戻す前記第２のセクターの１つ以上のビームを識別することとをさらに含む請求項１１記載の方法。
【請求項１３】
前記第２のセクターの前記識別した１つ以上のビームで通信している前記移動局を識別することをさらに含む請求項１２記載の方法。
【請求項１４】
前記第２のセクターをなくすことは、前記第１のセクターの一部として動作するように、前記識別した１つ以上のビームを合成することを含む請求項１３記載の方法。
【請求項１５】
動的なセクター生成のために構成されている基地局において、
プロセッサと、
前記プロセッサと電子通信するメモリと、
前記メモリ中に記憶されている命令とを具備し、
前記命令は、
セルの第１のセクターが過負荷であることを決定することと、
前記第１のセクター内に第２のセクターを生成させることと、
前記第１のセクターから前記第２のセクターに１つ以上の移動局を移行することとを前記プロセッサにより実行可能である基地局。
【請求項１６】
前記セルの第１のセクターが過負荷であることを決定することは、前記第１のセクターの負荷を負荷しきい値と比較することを含み、前記第１のセクターの負荷が前記負荷しきい値よりも大きい場合に、前記第１のセクターは過負荷である請求項１５記載の基地局。
【請求項１７】
前記命令はさらに、
多重ビームアンテナを使用して、前記第１のセクターの一部として、２つ以上の移動局と通信することと、
前記第２のセクター中で使用するために、前記多重ビームアンテナの１つ以上のビームを識別することと、
前記第２のセクター中で使用するために識別した１つ以上のビームで通信している１つ以上の移動局を識別することと、
前記１つ以上の移動局にハンドオフメッセージを送ることとを実行可能である請求項１５記載の基地局。
【請求項１８】
前記命令はさらに、前記第２のセクターとして動作するように、前記１つ以上のビームを再割り振りすることを実行可能である請求項１７記載の基地局。
【請求項１９】
前記命令はさらに、前記再割り振りした１つ以上のビームを使用して、前記第２のセクターの一部として、前記識別した１つ以上の移動局と通信することを実行可能である請求項１８記載の基地局。
【請求項２０】
前記命令はさらに、ドナーセルからリソースを割り振ることを実行可能であり、
前記ドナーセルからリソースを割り振ることは、
前記第２のセクターに対する前記ドナーセルとして動作するように、中継器範囲内のより小さい負荷を持つセルを選択することと、
前記ドナーセルと前記第２のセクター中の移動局との間の通信を中継することとを含む請求項１８記載の基地局。
【請求項２１】
前記第１のセクターの一部として、２つ以上の移動局と通信することは、第１の擬似ノイズ（ＰＮ）コードを使用することを含み、前記第２のセクターとして動作するように、前記１つ以上のビームを再割り振りすることは、前記第２のセクターとして動作する前記１つ以上のビームにより、第２のＰＮコードを使用することを含む請求項１８記載の基地局。
【請求項２２】
前記ハンドオフメッセージは、ユニバーサルハンドオフディレクションメッセージ（ＵＨＤＭ）と、拡張されたハンドオフディレクションメッセージと、アクティブセット更新メッセージとから成るグループから選択される請求項１７記載の基地局。
【請求項２３】
前記負荷しきい値は、セクター中の、移動局の数と、リバース信号電力と、ハンドオフ統計値と、リバースパイロット報告と、セクターノイズフロアと、セクター音声アクティビティとのうちの少なくとも１つに基づいている請求項１６記載の基地局。
【請求項２４】
前記命令はさらに、
前記第１のセクターの一部として、１つ以上の移動局と通信することと、
前記第２のセクターの一部として、１つ以上の移動局と通信することと、
前記第２のセクターから前記第１のセクターに１つ以上の移動局を移行することと、
前記第２のセクターをなくすこととを実行可能である請求項１５記載の基地局。
【請求項２５】
前記命令はさらに、
前記第１のセクターおよび前記第２のセクターの負荷を最小負荷しきい値と比較することと、前記負荷が前記最小負荷しきい値よりも小さい場合に、前記第１のセクターに戻す前記第２のセクターの１つ以上のビームを識別することとを実行可能である請求項２４記載の基地局。
【請求項２６】
前記命令はさらに、前記第２のセクターの前記識別した１つ以上のビームで通信している前記移動局を識別することを実行可能である請求項２５記載の基地局。
【請求項２７】
前記第２のセクターをなくすことは、前記第１のセクターの一部として動作するように、前記識別した１つ以上のビームを合成することを含む請求項２６記載の基地局。
【請求項２８】
動的なセクター生成のための装置において、
セルの第１のセクターが過負荷であることを決定する手段と、
前記第１のセクター内に第２のセクターを生成させる手段と、
前記第１のセクターから前記第２のセクターに１つ以上の移動局を移行する手段とを具備する装置。
【請求項２９】
動的なセクター生成のために構成されている、ワイヤレスデバイスのためのコンピュータプログラムプロダクトにおいて、
前記コンピュータプログラムプロダクトは、その上に命令を有しているコンピュータ読取可能媒体を具備し、
前記命令は、
セルの第１のセクターが過負荷であることを決定するためのコードと、
前記第１のセクター内に第２のセクターを生成させるためのコードと、
前記第１のセクターから前記第２のセクターに１つ以上の移動局を移行するためのコードとを含むコンピュータプログラムプロダクト。
【請求項３０】
動的なセクター割り振りのための装置において、
セルの第１のセクターが過負荷であることを決定する手段と、
前記第１のセクター内に第２のセクターを生成させる手段と、
前記第２のセクターとドナーセルとの間の接続を築く手段と、
前記第１のセクターから前記第２のセクターに１つ以上の移動局を移行する手段とを具備する装置。
【請求項３１】
動的なセクター生成のために構成されている、ワイヤレスデバイスのためのコンピュータプログラムプロダクトにおいて、
前記コンピュータプログラムプロダクトは、その上に命令を有しているコンピュータ読取可能媒体を具備し、
前記命令は、
セルの第１のセクターが過負荷であることを決定するためのコードと、
前記第１のセクター内に第２のセクターを生成させるためのコードと、
前記第２のセクターとドナーセルとの間の接続を築くためのコードと、
前記第１のセクターから前記第２のセクターに１つ以上の移動局を移行するためのコードとを含むコンピュータプログラムプロダクト。
【発明の詳細な説明】
【関連出願】
【０００１】
本出願は、発明者Ｊｉｅ ＳｉおよびＲｉｌｕｎ Ｔａｎｇによる、“マルチビームアンテナを使用する、ワイヤレスシステムにおける完全な動的セクター生成／割り振り”に対する、２００８年９月２９日に出願された米国仮特許出願シリアル番号第６１／１０１，０２０号に関し、この出願からの優先権を主張する。
【技術分野】
【０００２】
本開示は、一般的に、ワイヤレス通信システムに関する。さらに詳細には、本開示は、ワイヤレス通信システムにおける動的なセクター生成／割り振りのためのシステムおよび方法に関する。
【背景】
【０００３】
ワイヤレス通信デバイスは、消費者のニーズを満たすために、ならびに、ポータビリティおよび利便性を改善するために、より小型におよびより強力になってきている。消費者は、セルラ電話機、パーソナルデジタルアシスタント（ＰＤＡ）、ラップトップコンピュータ、およびこれらに類するもののようなワイヤレス通信デバイスに依存するようになっている。消費者は、信頼性の高いサービス、拡張されたカバレッジのエリア、および機能性の増加を期待するようになってきている。
【０００４】
現在の第２世代（２Ｇ）および第３世代（３Ｇ）のネットワークインプリメンテーションでは、セルのカバレッジエリアは、主に、アンテナのパターンとアンテナのダウンチルトとに依存する。いったんアンテナが設置されて、チルト角が固定されると、セルのカバレッジが実質的に固定される。セルブリージングは、カバレッジエリアを変化させないかもしれない。時間にわたって、ネットワークはアンバランスになるかもしれない。アンバランスなネットワークは、非常にビジーであり、または、重い負荷を有する、ネットワークのうちのいくつかの部分を有している一方で、ネットワークの他の部分は、さほどビジーではない、または、軽い負荷を有しているかもしれない。例えば、いくつかのセルは、ダウンタウンエリアまたは高密度の人口を持つ他のエリアのような、過負荷のトラフィックを有しているかもしれない。他のセルは、低密度の人口を持つ田舎のエリアのような、非常に小さなトラフィック負荷を有しているかもしれない。過負荷エリアに対する現在のソリューションは、より多くのセルを加えたり、より多くの搬送波を導入したりすること等である。
【０００５】
しかしながら、より多くのセルを加える、より多くの搬送波を導入する等の、過負荷エリアに対するソリューションは、費用がかかり、利用可能なリソースを最も効率的に使用できないことがある。ワイヤレス通信システムの効率性を向上させるシステムおよび方法が提供された場合、有益だろう。
【図面の簡単な説明】
【０００６】
【図１】図１は、複数の基地局および複数の移動局を含むワイヤレス通信システムを示している。
【図２】図２は、動的なセクター生成／割り振りモジュールを示すブロックダイヤグラムである。
【図３】図３は、動的なセクター生成／割り振りのための方法のフローダイヤグラムである。
【図４】図４は、図３の方法に対応するミーンズプラスファンクションブロックを示している。
【図５】図５は、セルの単一のセクター内にある多重ビームを示している。
【図６】図６は、多重ビームアンテナからの多重ビームを示しており、第１のセルの第１のセクター内に第２のセクターが生成されている。
【図７】図７は、動的なセクター生成のための方法のフローダイヤグラムである。
【図８】図８は、図７の方法に対応するミーンズプラスファンクションブロックを示している。
【図９】図９は、基地局と通信している複数の移動局を持つワイヤレス通信システムを示している。
【図１０】図１０は、基地局と通信している複数の移動局を持つワイヤレス通信システムを示している。
【図１１】図１１は、セクター生成のための方法のフローダイヤグラムである。
【図１２】図１２は、図１１の方法に対応するミーンズプラスファンクションブロックを示している。
【図１３】図１３は、複数のセルを持つワイヤレス通信システムを示している。
【図１４】図１４は、動的なセクター割り振りのための方法のフローダイヤグラムである。
【図１５】図１５は、図１４の方法に対応するミーンズプラスファンクションブロックを示している。
【図１６】図１６は、セクター削除のための方法のフローダイヤグラムである。
【図１７】図１７は、図１６の方法に対応するミーンズプラスファンクションブロックを示している。
【図１８】図１８は、基地局内に備えられていてもよいあるコンポーネントを示している。
【詳細な説明】
【０００７】
動的なセクター生成のための方法を開示する。方法は、セルの第１のセクターが過負荷であることを決定することを含む。第１のセクター内に第２のセクターを生成させる。第１のセクターから第２のセクターに１つ以上の移動局を移行する。
【０００８】
セルの第１のセクターが過負荷であることを決定することは、第１のセクターの負荷を負荷しきい値と比較することを含んでいてもよい。第１のセクターの負荷が負荷しきい値よりも大きい場合に、第１のセクターを過負荷としてもよい。方法は、多重ビームアンテナを使用して、第１のセクターの一部として、２つ以上の移動局と通信することを含んでいてもよい。第２のセクター中で使用するために、多重ビームアンテナの１つ以上のビームを識別してもよい。第２のセクター中で使用するために識別した１つ以上のビームで通信している１つ以上の移動局を識別してもよい。１つ以上の移動局にハンドオフメッセージを送ってもよい。
【０００９】
第２のセクターとして動作するように、１つ以上のビームを再割り振りしてもよい。方法は、再割り振りした１つ以上のビームを使用して、第２のセクターの一部として、識別した１つ以上の移動局と通信することを含んでいてもよい。ドナーセルからリソースを割り振ってもよい。ドナーセルからリソースを割り振ることは、第２のセクターに対するドナーセルとして動作するように、中継器範囲内のより小さい負荷を持つセルを選択することを含んでいてもよい。ドナーセルと第２のセクター中の移動局との間の通信を中継してもよい。
【００１０】
第１のセクターの一部として、２つ以上の移動局と通信することは、第１の擬似ノイズ（ＰＮ）コードを使用することを含んでいてもよい。第２のセクターとして動作するように、１つ以上のビームを再割り振りすることは、第２のセクターとして動作する１つ以上のビームにより、第２のＰＮコードを使用することを含んでいてもよい。基地局により方法を実行してもよい。ユニバーサルハンドオフディレクションメッセージ（ＵＨＤＭ）と、拡張されたハンドオフディレクションメッセージと、アクティブセット更新メッセージとから成るグループから、ハンドオフメッセージを選択してもよい。負荷しきい値は、以下のもののうちの少なくとも１つに基づいていてもよい：セクター中の、移動局の数、リバース信号電力、ハンドオフ統計値、リバースパイロット報告、セクターノイズフロア、およびセクター音声アクティビティである。
【００１１】
方法はまた、第１のセクターの一部として、１つ以上の移動局と通信することを含んでいてもよい。方法はさらに、第２のセクターの一部として、１つ以上の移動局と通信することを含んでいてもよい。第２のセクターから第１のセクターに１つ以上の移動局を移行してもよい。第２のセクターをなくしてもよい。第１のセクターおよび第２のセクターの負荷を最小負荷しきい値と比較してもよい。負荷が最小負荷しきい値よりも小さい場合に、第１のセクターに戻す第２のセクターの１つ以上のビームを識別してもよい。第２のセクターの識別した１つ以上のビームで通信している移動局を識別してもよい。第２のセクターをなくすことは、第１のセクターの一部として動作するように、識別した１つ以上のビームを合成することを含んでいてもよい。
【００１２】
動的なセクター生成のために構成されている基地局を説明する。基地局は、プロセッサと、プロセッサと電子通信するメモリとを備えている。基地局は、メモリ中に記憶されている命令を含んでいる。命令は、セルの第１のセクターが過負荷であることを決定することが実行可能である。命令はまた、第１のセクター内に第２のセクターを生成させることが実行可能である。命令はさらに、第１のセクターから第２のセクターに１つ以上の移動局を移行することが実行可能である。
【００１３】
動的なセクター生成のための装置を説明する。装置は、セルの第１のセクターが過負荷であることを決定する手段を備えている。装置はまた、第１のセクター内に第２のセクターを生成させる手段を備えている。装置はさらに、第１のセクターから第２のセクターに１つ以上の移動局を移行する手段を備えている。
【００１４】
動的なセクター生成のために構成されている、ワイヤレスデバイスのためのコンピュータプログラムプロダクトも説明する。コンピュータプログラムプロダクトは、その上に命令を有しているコンピュータ読取可能媒体を備えている。命令は、セルの第１のセクターが過負荷であることを決定するためのコードを含んでいる。命令はまた、第１のセクター内に第２のセクターを生成させるためのコードを含んでいる。命令はさらに、第１のセクターから第２のセクターに１つ以上の移動局を移行するためのコードを含んでいる。
【００１５】
動的なセクター割り振りのための装置を説明する。装置は、セルの第１のセクターが過負荷であることを決定する手段を備えている。装置はまた、第１のセクター内に第２のセクターを生成させる手段を備えている。装置はさらに、第２のセクターとドナーセルとの間の接続を築く手段を備えている。装置はまた、第１のセクターから第２のセクターに１つ以上の移動局を移行する手段を備えている。
【００１６】
動的なセクター生成のために構成されている、ワイヤレスデバイスのためのコンピュータプログラムプロダクトを説明する。コンピュータプログラムプロダクトは、その上に命令を有しているコンピュータ読取可能媒体を備えている。命令は、セルの第１のセクターが過負荷であることを決定するためのコードを含んでいる。命令はまた、第１のセクター内に第２のセクターを生成させるためのコードを含んでいる。命令はさらに、第２のセクターとドナーセルとの間の接続を築くためのコードを含んでいる。命令はまた、第１のセクターから第２のセクターに１つ以上の移動局を移行するためのコードを含んでいる。
【００１７】
ワイヤレス通信デバイスは、移動局、加入者局、アクセス端末、遠隔局、ユーザ端末、端末、加入者ユニット、ユーザ機器（ＵＥ）等として呼ぶことがある。ここでは、用語“移動局”を使用する。
【００１８】
ワイヤレス通信システムは、多数のセルに対する通信を提供することができ、多数のセルのうちのそれぞれは、基地局によりサービス提供されていてもよい。基地局は、ワイヤレス通信デバイスまたは移動局と通信する、固定のまたは（移動局と比較して）半固定の局であってもよい。基地局はまた、アクセスポイント、ブロードキャスト送信機、ノードＢ、進化ノードＢ等として呼ぶことがあり、アクセスポイント、ブロードキャスト送信機、ノードＢ、進化ノードＢ等の機能性のうちのいくつかまたはすべてを含んでいてもよい。ここでは、用語“基地局”を使用する。
【００１９】
基地局は、１つ以上のセクターにわたって送信してもよい。例えば、基地局は、複数のカバレッジのエリアを有していてもよい。各カバレッジのエリアは、セクターとして呼ぶことがある。１つの構成では、基地局に対する各セクターは、基地局の周囲１２０度をカバーすることができる。移動局のロケーションは、単一の基地局の１つより多いセクターからの信号を並行して受信するようなところであってもよい。
【００２０】
移動局は、アップリンク上およびダウンリンク上の送信を介して、１つ以上の基地局と通信してもよい。アップリンク（またはリバースリンク）は、移動局から基地局への通信リンクのことを指し、ダウンリンク（またはフォワードリンク）は、基地局から移動局への通信リンクのことを指す。ワイヤレス通信システムは、複数の移動局に対する通信を同時にサポートすることができる。１つ以上のチャネルエレメントが、アップリンクおよびダウンリンクのチャネルに対する信号処理を提供してもよい。
【００２１】
ワイヤレス通信システムは、利用可能なシステムリソース（例えば、帯域幅および送信電力）を共有することにより、複数のユーザとの通信をサポートすることが可能な多元接続システムであってもよい。このような多元接続システムの例は、コード分割多元接続（ＣＤＭＡ）システムと、時分割多元接続（ＴＤＭＡ）システムと、周波数分割多元接続（ＦＤＭＡ）システムと、直交周波数多元接続（ＯＦＤＭＡ）システムと、空間分割多元接続（ＳＤＭＡ）システムとを含む。
【００２２】
ワイヤレス通信システムは、無線信号を通してのデータのワイヤレス送信に対する標準規格を使用してもよい。このような標準規格の１つの例は、進化データオプティマイズド（ＥＶＤＯ）である。ＥＶＤＯは、ＣＤＭＡおよびＴＤＭＡの技術の双方を使用してもよい。
【００２３】
図１は、複数の基地局１０２と複数の移動局１０４とを含むワイヤレス通信システム１００を示している。移動局１０４は、セルラ電話機や、パーソナルデジタルアシスタント（ＰＤＡ）や、ハンドヘルドデバイスや、ワイヤレスモデムや、ラップトップコンピュータや、パーソナルコンピュータや、ワイヤレスネットワーキングカード等であってもよい。各基地局１０２は、複数の移動局１０４と同時に通信することが可能であってもよい。明確にするために、３つの移動局１０４のみを示し、３つすべてが、第１の基地局１０２ａと通信している。しかしながら、付加的な移動局１０４が、第１の基地局１０２ａと通信してもよい。さらに、移動局１０４はまた、第２の基地局１０２ｂおよび第３の基地局１０２ｃとワイヤレス通信していてもよい。
【００２４】
各基地局は、セル１０６として呼ばれるカバレッジエリアを有することがある。例えば、第１の基地局１０２ａは、第１のセル１０６ａをカバーしていてもよく、第２の基地局１０２ｂは、第２のセル１０６ｂをカバーしていてもよく、第３の基地局１０２ｃは、第３のセル１０６ｃをカバーしていてもよい。セルのそれぞれはさらに、セクターに分割することができる。例えば、第１のセル１０６ａは、第１のセクター１０８ａと、第２のセクター１０８ｂと、第３のセクター１０８ｃとに分割することができる。第２のセル１０６ｂは、第１のセクター１１０ａと、第２のセクター１１０ｂと、第３のセクター１１０ｃとに分割することができる。第３のセル１０６ｃは、第１のセクター１１２ａと、第２のセクター１１２ｂと、第３のセクター１１２ｃとに分割することができる。
【００２５】
基地局１０２は、移動局１０４とワイヤレスに通信することができる。例えば、基地局１０２は、フォワードリンク送信を通して、移動局１０４に電子通信を送ってもよい。同様に、移動局１０４は、リバースリンク送信を通して、基地局１０２に電子通信を送ってもよい。基地局１０２と移動局１０４との間の通信は、基地局１０４上の多重ビームアンテナにより促進することができる。多重ビームアンテナは、多重ビームを発生させることが可能であってもよい。
【００２６】
移動局１０４は、１つの基地局１０２からトラフィック情報を受信することがある。移動局１０４はまた、１つ以上の基地局１０２から干渉を受信することがある。１つの構成では、移動局１０４が、基地局１０２ａの１つのセクター１０８からトラフィック情報を受信する一方で、基地局１０２の別のセクター１０８から並行して干渉を受信することがある。したがって、移動局１０４は、単一の基地局１０２からトラフィック情報と干渉の双方を受信することがある。
【００２７】
基地局は、動的なセクター生成／割り振りモジュール１１６を備えていてもよい。動的なセクター生成／割り振りモジュール１１６とその動作は、下記でさらに詳細に論じる。動的なセクター生成／割り振りモジュール１１６は、バランスのとれたネットワークを達成するために、セクター１０８の部分を分ける際に、および／または、セクター１０８の部分を組み合わせる際に、基地局１０２ａを支援してもよい。ＣＤＭＡネットワークに対しては、バランスのとれたネットワークを達成することにより、最大容量を提供することができる。例えば、ネットワークのアンバランスは、余分なコストや、低いサービス品質等を生じさせることがある。ネットワーク中のいくつかのセル１０６が最大容量に達している一方で、他のセル１０６が、カバレッジの目的のために提供されているが、最小限の使用しかされない。ネットワーク中の現在のリソースを再使用することは、容量および性能において利益をもたらすことができる。リソースを再使用するための１つの方法は、セクター１０８ａ内に付加的なセクター１１４を生成させることであってもよい。
【００２８】
図２は、動的なセクター生成／割り振りモジュール２１６により記憶および／または使用することができるデータのピースを示すブロックダイヤグラムである。図２の動的なセクター生成／割り振りモジュール２１６は、図１の動的なセクター生成／割り振りモジュール１１６の１つの構成とすることができる。動的なセクター生成／割り振りモジュール２１６は、セクター生成および／またはセクター割り振りを決定するために、１つ以上の基準を使用してもよい。セクター生成は、既存のセクター１０８ａ内での新しいセクター１１４の生成のことを指す。セクター割り振りは、セクター内の移動局１０４に対する処理を提供するドナーセルの使用のことを指す。
【００２９】
動的なセクター生成／割り振りモジュール２１６は、移動局の数２１８を含んでいてもよい。移動局の数２１８は、基地局１０２に対する、各セクター１０８内の移動局１０４の現在の数を含んでいてもよい。１つの構成では、移動局の数２１８は、多重ビームアンテナの各ビームのカバレッジ範囲内にある移動局１０４の数を含んでいてもよい。動的なセクター生成／割り振りモジュール２１６の主な目的は、全体的な最大容量を達成するようにネットワーク負荷を動的にバランスさせることであるから、使用されているチャネルエレメントは、セクター生成／セクター割り振りのための１つの基準とすることができる。移動局の数２１８はまた、近くの基地局１０２の負荷を含んでいることがある。例えば、移動局の数２１８は、潜在的なドナーセルの相対的な負荷を示すことがある。
【００３０】
動的なセクター生成／割り振りモジュール２１６は、リバース信号電力ＥｂＮｔ２２０を含んでいてもよい。リバース信号電力２２０は、基地局１０２において測定することができる。一般に、干渉および／またはセクター負荷の増加は、リバース信号電力２２０の減少につながる。したがって、リバース信号電力２２０を使用して、セクター生成／セクター割り振りに対する必要性を決定してもよい。
【００３１】
動的なセクター生成／割り振りモジュール２１６は、ハンドオフ統計値２２２を含んでいてもよい。例えば、ハンドオフ統計値２２２は、セクター１０８に対するハンドオフ要求の数を含んでいてもよい。より高い統計値は、より多くの移動局１０４がセクター１０８中に入ってきていることを示す。例えば、パイロット追加要求の数からパイロットドロップ要求の数を引くことにより、セクター１０８がどれほどビジーであるかを示すことができる。セクター１０８がどれほどビジーであるかに依存して、動的なセクター生成／割り振りモジュール２１６が、セクター生成／セクター割り振りに対する必要性を決定してもよい。
【００３２】
動的なセクター生成／割り振りモジュール２１６は、リバースパイロット報告２２４を含んでいてもよい。ＥＶＤＯおよび高速パケットアクセス（ＨＳＰＡ）のようないくつかの技術は、無線周波数（ＲＦ）の状態をリバースパイロット報告２２４としてネットワークに報告するように、移動局１０４に要求することがある。リバースパイロット報告２２４中の情報の１ピースは、干渉レベルである。ネットワークは、動的なセクター生成／割り振りをいつ実行すべきかを決定するための基準として、干渉レベルを使用してもよい。
【００３３】
動的なセクター生成／割り振りモジュール２１６は、セクターノイズフロア２２５を含んでいてもよい。基地局１０２は、リバースリンク上の総ノイズフロアを監視してもよい。セクター１０８中にある移動局１０４が増えると、総ノイズフロアが高くなる。ネットワークは、動的なセクター生成／割り振りをいつ実行すべきかを決定するための基準として、全体的なセクターノイズフロア２２５を使用してもよい。
【００３４】
動的なセクター生成／割り振りモジュール２１６はまた、セクター総音声アクティビティ２２９を含んでいてもよい。セクター総音声アクティビティ２２９は、会話のアクティビティに限定されなくてもよい。代わりに、セクター総音声アクティビティ２２９は、音声、データ転送等を含む、移動局１０４の全体的なアクティビティのことを指すことがある。より多い量のアクティビティは、よりビジーなセクター１０８に等しい。ネットワークは、全体的なアクティビティに基づいて、動的なセクター生成／割り振りをいつ実行すべきかを決定してもよい。
【００３５】
動的なセクター生成／割り振りモジュール２１６はまた、負荷しきい値２２６を含んでいてもよい。負荷しきい値２２６は、動的なセクター生成／割り振りが実行される前のセクター１０８内の負荷の最大量を規定する、予めセットされたしきい値であってもよい。例えば、負荷しきい値２２６は、しきい値を上回ったときに動的なセクター生成が生じるように、担当されている移動局１０４の特定のしきい値を規定していてもよい。もう１つの特有の例では、負荷しきい値２２６が２０だった場合、セクター１０８内の担当されている移動局１０４の数が２０を上回ったときに、動的なセクター生成が生じる。動的なセクター生成／割り振りモジュール中の各基準に対して、対応する負荷しきい値２２６があってもよい。特定の基準（例えば、移動局の数２１８またはリバース信号電力２２０）を使用する場合に、対応する負荷しきい値２２６を使用してもよい。動的なセクター生成／割り振りモジュール２１６は、最小負荷しきい値２２７を含んでいてもよい。最小負荷しきい値２２７は、セクター削除が実行される前の複数のセクター１０８内の負荷の最小量を規定する、予めセットされたしきい値であってもよい。セクター削除は、１つのセクター１０８の消去と、セクター１０８内の移動局１０４を別のセクター１０８に移行することとを指してもよい。
【００３６】
図３は、動的なセクター生成／割り振りのための方法３００のフローダイヤグラムである。基地局１０２により、方法３００を実行してもよい。代替的に、基地局制御装置により、方法３００を実行してもよい。基地局１０２は、第１のセクター１０８中の移動局１０４と通信してもよい３０２。基地局１０２は、セクター生成基準が満たされているか否かを決定してもよい３０４。例えば、基地局１０２は、セル１０６内のセクター１０８の現在の負荷が、負荷しきい値２２６を超えるか否かを決定してもよい。別の例として、基地局１０２は、図２に関連して上記で論じたセクター生成／セクター割り振りの基準（例えば、移動局の数２１８、リバース信号電力２２０、ハンドオフ統計値２２２、およびリバースパイロット電力２２４）を使用することにより、セクター生成基準が満たされているか否かを決定してもよい。
【００３７】
セル生成基準が満たされていた場合に、基地局１０２は、第２のセクター１０８に対する新しいパイロットにより、および、第１のセクター１０８に対するオリジナルのパイロットにより、ハンドオフメッセージ／アクティブセット更新メッセージを送ってもよい３０８。ハンドオフメッセージは、ソフトハンドオフに関して、移動局１０４に命令することができる。セクター生成基準が満たされていなかった場合には、基地局１０２は、セクター割り振り基準が満たされているか否かを決定してもよい３０６。例えば、現在のセル１０６よりも小さい負荷を持つドナーセルが中継器範囲内にあるか否かを、基地局１０２は決定してもよい。セクター割り振り基準が満たされていた場合に、基地局１０２は、ドナーセルに対する新しいパイロットにより、および、第１のセル１０６の第１のセクター１０８に対するオリジナルのパイロットにより、ハンドオフメッセージを送ってもよい３０８。いったん移動局１０４にハンドオフメッセージを送ると、基地局１０２は、第２のセクター１０８に対するチャネルエレメント／中継器エレメントをセットアップしてもよい３１０。上記で論じたように、第２のセクター１０８は、第１のセル１０６の一部またはドナーセルの一部とすることができる。セクター生成基準が満たされていた場合に、基地局１０２は、第１のセル１０６の第１のセクター１０８内に、第２のセクター１０８に対するチャネルエレメントをセットアップしてもよい３１０。セル割り振り基準が満たされていた場合に、基地局１０２は、ドナーセルに対する中継器エレメントをセットアップしてもよい３１０。
【００３８】
上記で説明した図３の方法３００は、図４で示されているミーンズプラスファンクションブロック４００に対応する、さまざまなハードウェアならびに／あるいはソフトウェアのコンポーネントおよび／またはモジュールにより実行することができる。言い換えると、図３で示されているブロック３０２ないし３１０は、図４で示されているミーンズプラスファンクションブロック４０２ないし４１０に対応している。
【００３９】
図５は、セル１０６の単一のセクター１０８内にある多重ビーム５２８を示している。セル１０６は、基地局１０２によりカバーされる地理的なエリアを表していてもよい。各基地局１０２は、１つ以上のセクター１０８に分けられてもよい。例えば、基地局１０２は、３つのセクター１０８に分けられてもよく、各セクター１０８は、基地局１０２の周囲１２０度をカバーする。図５は、基地局１０２の周囲１２０度をカバーしているセクター１０８の１つの構成を示している。１つ以上の狭いビーム５２８を使用して、各セクター１０８をカバーしてもよい。例えば、図５では、セクター１０８は、６つのビーム５２８によりカバーされている：第１のビーム５２８ａ、第２のビーム５２８ｂ、第３のビーム５２８ｃ、第４のビーム５２８ｄ、第５のビーム５２８ｅ、および第６のビーム５２８ｆである。ビーム５２８は、６ビームアンテナ５３２を持つＣＤＭＡセクター１０８の一部であってもよい。多重ビームアンテナ５３２を使用して、各ビーム５２８を形成してもよい。ビーム５２８のそれぞれは、セル１０６の同じセクター１０８の一部である。したがって、ビーム５２８のそれぞれは、移動局１０４と通信しているときに、同じ擬似ノイズ（ＰＮ）コードを使用してもよい。ビーム５２８ａ〜ｆの合成された輪郭線は、１２０度フルのカバレッジを含んでいる。
【００４０】
各ビーム５２８は、位相シフターマトリックス５３０と通信してもよい。位相シフターマトリックス５３０中の各位相シフターは、アンテナ中のダイポールに接続されていてもよい。異なるダイポールに異なる位相を加えることにより、干渉されたアンテナパターン（すなわち、多重ビーム５２８）を達成することができる。位相シフターマトリックス５３０は、合成器／分割器ユニット５３１に接続されていてもよく、合成器／分割器ユニット５３１はさらに、基地トランシーバ局（ＢＴＳ）に接続されている。ＢＴＳにより位相シフターマトリックス５３０を使用して、ビーム５２８のそれぞれを形成してもよい。
【００４１】
ＢＴＳにより、ビーム５２８を制御してもよい。ＢＴＳは、移動局１０４とネットワークとの間のワイヤレス通信を促進する１つの機器である。したがって、ＢＴＳは、基地局１０２であってもよい。ＢＴＳは、１つより多い組のチャネルエレメントを含んでいてもよい。ワイヤレス通信では、移動局１０４が専用会話モードになるたびに、基地局１０２上の（チャネルエレメントのような）ハードウェアユニットが、この専用トラフィックチャネルに対して割り振られて、会話をサポートすることができる。チャネルエレメントは、チャネルに対するベースバンド信号処理を実行してもよい。ＢＴＳとのワイヤレス通信中の移動局１０４の数が、ＢＴＳの負荷を決定することがある。例えば、低負荷モードでは、セクター１０８内の、ＢＴＳと通信している移動局１０４の数は、負荷しきい値２２６よりも小さいことがある。図５のＢＴＳは、低負荷モードで動作しており、それゆえ、６つのビーム５２８のそれぞれは、同じセル１０６からのものであってもよく、および、セル１０６の同じセクター１０８からのものであってもよい。１つの構成では、セクター１０８内のビーム５２８のそれぞれが、同じＰＮコードを使用して、移動局１０８と通信してもよい。
【００４２】
図６は、多重ビームアンテナ６３２からの多重ビーム６２８を示しており、第１のセル１０６ａの第１のセクター１０８ａ内に第２のセクター１１４が生成されている。ＢＴＳは、合成器／分割器６３１、位相シフターマトリックス６３０を通して、そしてその後、多重ビーム６２８を通して、信号を送ってもよく／受信してもよい。例えば、多重ビームアンテナ６３２は、６つのビーム６２８を発生させてもよい。第１のビーム６２８ａ、第２のビーム６２８ｂ、第４のビーム６２８ｄ、および、第６のビーム６２８ｆは、それぞれ、第１のセクター１０８ａの一部であってもよい。第１のセクター１０８ａは、第１のＰＮコードを使用してもよい。
【００４３】
第３のビーム６２８ｃおよび第５のビーム６２８ｅはそれぞれ、第２のセクター１１４の一部であってもよい。第２のセクター１１４は、新しく生成されたセクターである。図１は、新しいセクターすなわち第２のセクター１１４が、第１のセクター１０８ａ内にあってもよいことを示している。例えば、第２のセクター１１４は、第１のセクター１０８ａにより以前にカバーされていた地理的なエリアの一部またはすべてをカバーしてもよい。第２のセクター１１４は、第２のＰＮコードを使用してもよい。したがって、第１のビーム６２８ａ、第２のビーム６２８ｂ、第４のビーム６２８ｄ、および、第６のビーム６２８ｆの内の移動局１０４は、第１のＰＮコードを使用してＢＴＳと通信することができる一方で、第３のビーム６２８ｃおよび第５のビーム６２８ｅの内の移動局１０４は、第２のＰＮコードを使用してＢＴＳと通信することができる。セル１０６上の負荷をバランスさせるために、ＢＴＳは、第１のセクター１０８ａからのビーム６２８のうちのいくつかまたはすべてを第２のセクター１１４に再割り振りしてもよい。これは、セクター生成として呼ぶことがある。第１のセクター１０８ａから第２のセクター１１４にビームを再割り振りするときに、再割り振りは、ビームの切り替えとして呼ぶことがある。
【００４４】
図７は、動的なセクター生成のための方法７００のフローダイヤグラムである。基地局１０２または基地トランシーバ局（ＢＴＳ）により、方法７００を実行してもよい。基地局１０２は、セル１０６のセクター１０８が過負荷であることを決定してもよい７０２。例えば、基地局１０２は、セル１０６の第１のセクター１０８ａ内の移動局１０４の数が、負荷しきい値２２６を超えていることを決定してもよい。基地局１０２は、第１のセクター１０８ａ内に第２のセクター１１４を生成させてもよい。第１のセクター１０８ａのうちのいくらかの部分が、第１のセクター１０８ａ中に残り続けてもよい一方で、第１のセクター１０８ａの他の部分は、新しく生成された第２のセクター１１４の一部になってもよい。基地局１０２はその後、第１のセクター１０８ａの通信標準規格を使用しての基地局１０２との通信から、第２のセクター１１４の通信標準規格を使用しての基地局１０２との通信へと、第２のセクター１１４内の移動局１０４を移行してもよい７０６。例えば、第１のセクター１０８ａ内の移動局１０４は、基地局１０２と通信するときに第１のＰＮコードを使用することができ、第２のセクター１１４内の移動局１０４は、基地局１０２と通信するときに第２のＰＮコードを使用することができる。
【００４５】
上記で説明した図７の方法７００は、図８で示されているミーンズプラスファンクションブロック８００に対応する、さまざまなハードウェアならびに／あるいはソフトウェアのコンポーネントおよび／またはモジュールにより実行することができる。言い換えると、図７で示されているブロック７０２ないし７０６は、図８で示されているミーンズプラスファンクションブロック８０２ないし８０６に対応している。
【００４６】
図９は、基地局９０２と通信している複数の移動局９０４ａ〜ｐを有するワイヤレス通信システム９００を示している。基地局９０２は、１つのセクター９３４に対するカバレッジを提供してもよい。基地局１０２のうちの１つのセクター９３４が示されている。移動局９０４は、基地局１０２のセクター９３４内に位置していてもよい。セクター９３４の部分は、多重ビームアンテナ５３２により発生されるさまざまなビーム９２８によりカバーされていてもよい。ビーム９２８は、多重ビームアンテナ５３２からの放射パターンのことを指すことがある。セクター９３４内の各ビーム９２８ａ〜ｆは、およそ２０度のビーム幅を有していてもよい。基地局９０２と通信している、ワイヤレス通信システム９００中の移動局９０４は、ビーム９２８の範囲内に位置しているかもしれない。各移動局９０４は、その範囲内に移動局９０４があるビーム９２８を使用して、基地局９０２と通信してもよい。
【００４７】
各ビーム９２８によりカバーされる地理的なエリアは、ビームカバレッジエリアとして呼ぶことがある。例えば、第１のビーム９２８ａは、第１のビームカバレッジエリアをカバーしていてもよく、第２のビーム９２８ｂは、第２のビームカバレッジエリアをカバーしていてもよく、第３のビーム９２８ｃは、第３のビーム地理的エリアをカバーしていてもよい等である。いくつかのビームカバレッジエリアは、他のビームカバレッジエリアよりも多くの移動局９０４を含んでいることがある。図９では、第１のビームカバレッジエリアが、１つの移動局９０４ａのみを含んでいる一方で、第３のビームカバレッジエリアは、６つの移動局９０４ｄ〜ｉを含んでいる。図９のすべてのビーム９２８は、同じセクター９３４中にある。図９のセクター９３４は、１６個の移動局９０４（９０４ａ〜９０４ｐ）を含んでいる。１つの構成では、図９のセクター９３４は、過負荷であるかもしれない。
【００４８】
図１０は、基地局１００２と通信している複数の移動局１００４ａ〜ｐを有するワイヤレス通信システム１０００を示している。基地局１００２は、複数のセクター１０３４、１０３６に対するカバレッジを提供することがある。例えば、基地局１０２は、第１のセクター１０３４を含んでいてもよい。図１０の第１のセクター１０３４は、図９のセクター９３４の１つの構成であってもよい。図１０のワイヤレス通信システム１０００では、動的なセクター生成を使用して、第２のセクター１０３６が生成されている。第２のセクター１０３６は、第１のセクター１０３４により以前にカバーされていたエリア内に生成されている。例えば、第３のビーム１０２８ｃ（および、対応する第３のカバレッジエリア）と、第５のビーム１０２８ｅ（および、対応する第５のカバレッジエリア）は、第２のセクター１０３６の一部である。したがって、第３のカバレッジエリア内のおよび第５のカバレッジエリア内の移動局１００４は、第２のセクター１０３６の一部とすることができる。対照的に、第１のビーム１０２８ａのカバレッジエリアと、第２のビーム１０２８ｂのカバレッジエリアと、第４のビーム１０２８ｄのカバレッジエリアと、第６のビーム１０２８ｆのカバレッジエリアとの内にある移動局１００４は、依然として、第１のセクター１０３４の一部とすることができる。
【００４９】
第１のセクター１０３４内の移動局１００４は、第１のＰＮコードを使用して基地局１００２と通信することができる。第２のセクター１０３６内の移動局１００４は、第２のＰＮコードを使用して基地局１００２と通信することができる。したがって、ネットワークは、第３のビーム１０２８ｃと第５のビーム１０２８ｅとを第１のセクター１０３４から切り取って、第２のセクター１０３６の新しいチャネルエレメントに接続されている第２のセクター１０３６を生成させる。例えば、新しいセクター１０３６が生成されたときに、基地局１００２上に、追加のチャネルエレメント（すなわち、専用会話チャネルをサポートするハードウェアモジュール）をインストールして使用してもよい。また、第１のセクター１０３６中で以前に使用していたチャネルエレメントを第２のセクター１０３８中に移行して、再使用することができる。
【００５０】
図１１は、セクター生成のための方法１１００のフローダイヤグラムである。基地局１０２または基地トランシーバ局（ＢＴＳ）により、方法１１００を実行してもよい。基地局１０２は、多重ビームアンテナ５３２の２つ以上のビーム５２８を使用して、第１のセクター１０３４の一部として、２つ以上の移動局１０４と通信してもよい１１０２。基地局１０２は、その後、第１のセクター１０３４の負荷が負荷しきい値２２６よりも大きいか否かを決定してもよい１１０４。第１のセクター１０３４の負荷が負荷しきい値２２６よりも大きくない場合に、基地局１０２は、第１のセクター１０３４の一部として移動局１０４と通信し続けてもよい１１０２。
【００５１】
第１のセクター１０３４の負荷が負荷しきい値２２６よりも大きい場合に、基地局１０２は、第２のセクター１０３６中で使用するために、第１のセクター１０３４中で使用されている１つ以上のビーム１０２８を識別してもよい１１０６。例えば、基地局１０２は、バランスのとれたネットワーク、または、よりバランスのとれたネットワークを生成させるために、第２のセクター１０３６中で使用するかもしれない、第１のセクター１０３４中で使用されている１つ以上のビーム１０２８を識別してもよい。新しいセクター中で使用するための特定のビームを識別すること１１０６は、各ビームの負荷を考慮に入れてもよい。基地局１０２は、動的なセクター生成／割り振りモジュール２１６で使用される基準（すなわち、移動局の数２１８や、セクター総音声アクティビティ２３０）に基づいて、基地局１０２によりカバーされているすべてのセクター１０８とともに、各ビーム５２８の負荷を継続的に監視してもよい。基地局１０２は、新しいセクター１０８の生成の後に、負荷の最大のバランスを達成するように、ビーム１０２８を再割り振りすることを選択してもよい。新しいセクター１０８の生成は、２つのセクターに限定されない。例えば、４つのセクター１０８を生成させてもよい。基地局１０２は、その後、第２のセクター１０３６中で使用するために決定された１つ以上のビーム１０２８で通信している移動局１０４を識別してもよい１１０８。言い換えると、基地局１０２は、どの移動局を、第１のセクター１０３４から第２のセクター１０３６にハンドオフする必要があるかを識別する。基地局１０２は、識別した移動局１０４にハンドオフメッセージを送ってもよい１１１０。ハンドオフメッセージは、第１のセクター１０３４から第２のセクター１０３６にハンドオフするための命令を移動局１０４に提供してもよい。１つの構成では、ハンドオフメッセージは、ユニバーサルハンドオフディレクションメッセージ（ＵＨＤＭ）、拡張されたハンドオフディレクションメッセージ、またはアクティブセット更新メッセージであってもよい。
【００５２】
第２のセクター１０３６が完全にセットアップまたは生成されるまで、オリジナルのＰＮコードと新しいＰＮコードの双方によるハンドオフメッセージを使用して、最初に移動局１０４をソフトハンドオフ状態にしてもよい。一時的なソフトハンドオフ期間の間に、移動局１０４は、双方のＰＮコードによるフレームを受信することがある。たいてい、新しいＰＮコードによるフレームは、新しいセクター１０３６が完全に機能するまで損なわれるだろう。移動局１０４はソフトハンドオフ中なので、通信を維持するのには、有効なフレームを持つ１つの良好なパイロットで十分であるかもしれない。
【００５３】
基地局１０２は、その後、第２のセクター１０３６として動作するように、識別した１つ以上のビーム１０２８を再割り振りしてもよい１１１２。移動局１０４と通信しているときにビーム１０２８により使用されるＰＮコードおよび／またはパイロット信号を変更することによって第２のセクター１０３６として動作するように、識別した１つ以上のビーム１０２８を再割り振りしてもよい１１１２。基地局１０２は、その後、識別した１つ以上のビーム１０２８を使用して、第２のセクター１０３６の一部として、識別した移動局１０４と通信してもよい１１１４。
【００５４】
上記で説明した図１１の方法１１００は、図１２で示されているミーンズプラスファンクションブロック１２００に対応する、さまざまなハードウェアならびに／あるいはソフトウェアのコンポーネントおよび／またはモジュールにより実行することができる。言い換えると、図１１で示されているブロック１１０２ないし１１１４は、図１２で示されているミーンズプラスファンクションブロック１２０２ないし１２１４に対応している。
【００５５】
図１３は、複数のセルを有するワイヤレス通信システム１３００を示している。基地局１３０２のセクターは、第１のセルに対するカバレッジを提供してもよい。基地局１３０２は、中継器機器１３３８を備えていてもよい。図１３の基地局１３０２および第１のセルは、図９の基地局９０２およびセルの１つの構成とすることができる。例えば、図１３は、動的なセクター生成／割り振りの後の、図９の基地局９０２およびセルを示していてもよい。
【００５６】
基地局１３０２のセクターは、多重ビームアンテナ５３２を含んでいてもよい。多重ビームアンテナ５３２は、第１のビーム５２８ａ、第２のビーム５２８ｂ、第３のビーム５２８ｃ、第４のビーム５２８ｄ、第５のビーム５２８ｅ、および、第６のビーム５２８ｆを発生させてもよい。第１のセルは、第１のセクター１３３４および第２のセクター１３３６を含んでいてもよい。オリジナルのセクター１３３４は、第１のビーム５２８ａと、第２のビーム５２８ｂと、第４のビーム５２８ｄと、第６のビーム５２８ｆとを使用する、第１のセクター１３３４のカバレッジを提供してもよい。基地局１３０２は、第３のビーム５２８ｃおよび第５のビーム５２８ｅを使用する、第２のセクター１３３６のカバレッジを提供してもよい。基地局１３０２は、第２のセクター１３３６を動的にドナーセル１３４４に割り振ることにより、第２のセクター１３３６のカバレッジを提供してもよい。ドナーセル１３４４は、基地局１３０２の中継器範囲内にあってもよい。第２のセクター１３３６は、図１３において中継器エリア１３３６として呼ぶことがあり、図１３において中継器エリア１３３６として示されている。
【００５７】
基地局１３０２のセクターは、オリジナルのセクター１３３４の１つ以上のビーム５２８を継合および合成させて、第２のセクター１３３６を生成させることにより、第２のセクター１３３６すなわち中継器エリア１３３６をドナーセルに動的に割り振ってもよい。基地局１３０２は、その後、ドナーセル１３４４の中継器エリア１３３６としての役割を果たすように、第２のセクター１３３６の１つ以上のビーム５２８を割り振ってもよい。基地局１３０２は、中継器機器１３３８を使用して、ドナーセル１３４４が、第２のセクター１３３６内の移動局１０４のサービングを取り扱うことを可能にしてもよい。中継器機器１３３８は、ワイヤードまたはワイヤレスの通信１３４０を使用して、ドナーセル１３４４と通信してもよい。この方法で、新しく生成された第２のセクター１３３６のビーム５２８により担当されているすべての移動局１０４を、ドナーセル１３４４によって取り扱うことができる。ドナーセル１３４４は、基地局１３０２よりも少ない負荷を有しているかもしれない。例えば、ドナーセル１３４４は、基地局１３０２が有するよりも少ない移動局１０４をドナーセルカバレッジエリア１３４２内に有していることがある。したがって、ドナーセル１３４４の使用は、ネットワークの負荷をバランスさせることができる。
【００５８】
図１４は、動的なセクター割り振りのための方法１４００のフローダイヤグラムである。基地局１３０２により、方法１４００を実行してもよい。基地局１３０２は、多重ビームアンテナ５３２の２つ以上のビーム５２８を使用して、第１のセクター１３３４の一部として、２つ以上の移動局１０４と通信してもよい１４０２。基地局１３０２は、第１のセクター１３３４の負荷が負荷しきい値２２６よりも大きいか否かを決定してもよい１４０４。第１のセクター１０３４の負荷が負荷しきい値２２６よりも大きくない場合に、基地局１３０２は、第１のセクター１３３４の一部として、移動局１０４と通信し続けてもよい１４０２。
【００５９】
第１のセクター１３３４の負荷が負荷しきい値２２６よりも大きい場合に、基地局１３０２は、第２のセクター１３３６中で使用するために、第１のセクター１３３４中で使用されている１つ以上のビーム５２８を識別してもよい１４０６。基地局１３０２は、その後、第２のセクター１３３６に対するドナーセル１３４４として動作するように、中継器範囲内のより小さい負荷を持つセルを選択してもよい１４０８。基地局１３０２は、その後、第２のセクター１３３６中で使用するために識別した１つ以上のビーム５２８で通信している移動局１０４を識別してもよい１４１０。言い換えると、基地局１３０２は、どの移動局１０４を第１のセクター１３３４から第２のセクター１３３６にハンドオフする必要があるかを識別する。基地局１０４は、識別した移動局１０４にハンドオフメッセージを送ってもよい１４１２。ハンドオフメッセージは、第１のセクター１３３４から第２のセクター１３３６にハンドオフするための命令を移動局１０４に提供してもよい。１つの構成では、ハンドオフメッセージは、ユニバーサルハンドオフディレクションメッセージ（ＵＨＤＭ）であってもよい。
【００６０】
移動局１０４がドナーセル１３４４との安定したリンクをセットアップするまで、オリジナルのＰＮコードおよび新しいＰＮコードの双方によるハンドオフメッセージを使用して、最初に移動局１０４をソフトハンドオフ状態にしてもよい。一時的なソフトハンドオフ期間の間に、移動局１０４は、双方のＰＮコードによるフレームを受信するかもしれない。移動局１０４はソフトハンドオフ中なので、通信を維持するのには、有効なフレームを持つ１つの良好なパイロットで十分であるかもしれない。
【００６１】
基地局１３０２は、その後、第２のセクター１３３６として動作するように、識別した１つ以上のビーム５２８を再割り振りしてもよい１４１４。移動局１０４と通信しているときに、ビーム５２８により使用されるＰＮコードおよび／またはパイロット信号を変更することによって第２のセクター１３３６として動作するように、識別した１つ以上のビーム５２８を再割り振りしてもよい１４１４。基地局１３０２は、その後、識別した１つ以上のビーム５２８を使用して、第２のセクター１３３６の一部として、ドナーセルと、識別した移動局１０４との間の通信を中継してもよい１４１６。
【００６２】
上記で説明した図１４の方法１４００は、図１５で示されているミーンズプラスファンクションブロック１５００に対応する、さまざまなハードウェアならびに／あるいはソフトウェアのコンポーネントおよび／またはモジュールにより実行することができる。言い換えると、図１４で示されているブロック１４０２ないし１４１６は、図１５で示されているミーンズプラスファンクションブロック１５０２ないし１５１６に対応している。
【００６３】
図１６は、セクター１０８削除のための方法１６００のフローダイヤグラムである。１つ以上の基地局１０２により、方法１６００を実行してもよい。１つの構成では、基地局制御装置または基地トランシーバ局（ＢＴＳ）により、方法１６００を実行してもよい。基地局１０２は、（図１０で示されている）第１のセクター１０３４の一部として、１つ以上の移動局１０４と通信してもよい１６０２。基地局１０２はまた、第２のセクター１０３６の一部として、１つ以上の移動局１０４と通信してもよい１６０４。１つの構成では、基地局１０２は、第２のセクター１０３６の一部である１つ以上の移動局１０４と、ドナーセル１３４４との間の中継として機能してもよい。別の構成では、基地局１０２は、双方のセクター１０３４、１０３６をカバーリングしてもよい。
【００６４】
基地局１０２は、第１のセクター１０３４および第２のセクター１０３６の負荷が、最小負荷しきい値２２７よりも小さいかどうかを決定してもよい１６０６。第１のセクター１０３４および第２のセクター１０３６の負荷が、最小負荷しきい値２２７以上の場合に、基地局１０２は、第１のセクター１０３４の一部として、１つ以上の移動局１０４と通信し続けてもよく１６０２、および、第２のセクター１０３６の一部として、１つ以上の移動局１０４と、通信し続けてもよい１６０４。
【００６５】
第１のセクター１０３４および第２のセクター１０３６の負荷が、最小負荷しきい値２２７よりも小さい場合に、基地局１０２は、第１のセクター１０３４に戻す第２のセクター１０３６の１つ以上のビーム５２８を識別してもよい１６０８。基地局１０２は、その後、第２のセクター１０３６の識別した１つ以上のビーム５２８で通信している移動局１０４を識別してもよい。基地局１０２は、次に、識別した移動局１０４にハンドオフメッセージを送ってもよい１６１２。基地局１０２は、第１のセクター１０３４の一部として動作するように、識別した１つ以上のビーム５２８を再割り振りして、第１のセクター１０３４の一部として、移動局１０４との通信を開始してもよい１６１６。したがって、１つの構成では、図１６で示されている方法を使用して、生成されたおよび／または割り振られたセクターに切り替えられたビームをそれらのオリジナルのセクターに戻してもよい。
【００６６】
上記で説明した図１６の方法１６００は、図１７で示されているミーンズプラスファンクションブロック１７００に対応する、さまざまなハードウェアならびに／あるいはソフトウェアのコンポーネントおよび／またはモジュールにより実行することができる。言い換えると、図１６で示されているブロック１６０２ないし１６１６は、図１７で示されているミーンズプラスファンクションブロック１７０２ないし１７１６に対応している。
【００６７】
図１８は、基地局１８０１内に備えられていてもよいあるコンポーネントを示している。基地局１８０１は、プロセッサ１８０３を備えている。プロセッサ１８０３は、汎用のシングルチップまたはマルチチップのマイクロプロセッサ（例えば、ＡＲＭ）や、特殊目的マイクロプロセッサ（例えば、デジタル信号プロセッサ（ＤＳＰ））や、マイクロ制御装置や、プログラマブルゲートアレイ等であってもよい。プロセッサ１８０３は、中央処理ユニット（ＣＰＵ）として呼ぶことがある。単一のプロセッサ１８０３のみを図１８の基地局１８０１中で示しているが、代替的な構成では、プロセッサの組み合わせ（例えば、ＡＲＭおよびＤＳＰ）を使用することができる。
【００６８】
基地局１８０１はまた、メモリ１８０５を備えている。メモリ１８０５は、電子情報を記録することが可能な何らかの電子的なコンポーネントであってもよい。メモリ１８０５は、ランダムアクセスメモリ（ＲＡＭ）、リードオンリーメモリ（ＲＯＭ）、磁気ディスク記憶媒体、光記憶媒体、ＲＡＭ中のフラッシュメモリデバイス、プロセッサに含まれているオンボードメモリ、ＥＰＲＯＭメモリ、ＥＥＰＲＯＭメモリ、レジスタ等と、それらの組み合わせとを含むものとして、具現化してもよい。
【００６９】
データ１８０７および命令１８０９は、メモリ１８０５中に記憶されていてもよい。命令１８０９は、ここで開示した方法を実現するように、プロセッサ１８０３により実行可能であってもよい。命令１８０９を実行することは、メモリ１８０５中に記憶されているデータ１８０７の使用を伴ってもよい。プロセッサ１８０３が命令１８０９を実行するときに、命令１８０９ａのさまざまな部分をプロセッサ１８０３上にロードしてもよく、データ１８０７ａのさまざまなピースをプロセッサ１８０３上にロードしてもよい。
【００７０】
基地局１８０１はまた、基地局１８０１からの信号の送信と、基地局１８０１への信号の受信とを可能にする、送信機１８１１および受信機１８１３を備えていてもよい。送信機１８１１および受信機１８１３をひとまとめにして、トランシーバ１８１５として呼ぶことがある。アンテナ１８１７は、トランシーバ１８１５に電気的に結合されていてもよい。基地局１８０１はまた、（示していない）複数の送信機、複数の受信機、複数のトランシーバ、および／または、複数のアンテナを備えていてもよい。
【００７１】
基地局１８０１のさまざまなコンポーネントは、１つ以上のバスにより互いに結合されていてもよい。１つ以上のバスは、電力バス、制御信号バス、ステータス信号バス、データバス等を含んでいてもよい。明確にする目的のために、図１８では、さまざまなバスをバスシステム１８１９として示している。
【００７２】
用語“決定する”は、幅広いさまざまなアクションを含んでおり、それゆえ、“決定する”は、算出する、計算する、処理する、導出する、調べる、検索する（例えば、表、データベース、または別のデータ構造中において検索する）、確認する、およびこれらに類するものを含むことができる。また、“決定する”は、受信する（例えば、情報を受信する）、アクセスする（例えば、メモリ中のデータにアクセスする）、およびこれらに類するものを含むことができる。また、“決定する”は、解決する、選択する、選ぶ、確立する、およびこれらに類するものを含むことができる。
【００７３】
フレーズ“に基づいて”は、そうではないと明確に規定されていない限り、“のみに基づいて”を意味しない。言い換えると、フレーズ“に基づいて”は、“のみに基づいて”と“に少なくとも基づいて”の双方を説明している。
【００７４】
用語“プロセッサ”は、汎用プロセッサ、中央処理ユニット（ＣＰＵ）、マイクロプロセッサ、デジタル信号プロセッサ（ＤＳＰ）、制御装置、マイクロ制御装置、状態機械等を含むように広く解釈すべきである。ある状況下では、“プロセッサ”は、特定用途向け集積回路（ＡＳＩＣ）、プログラマブル論理デバイス（ＰＬＤ）、フィールドプログラマブルゲートアレイ（ＦＰＧＡ）等のことを指すことがある。用語“プロセッサ”は、例えば、ＤＳＰとマイクロプロセッサの組み合わせ、複数のマイクロプロセッサ、ＤＳＰコアを備えた１つ以上のマイクロプロセッサ、または他の何らかのこのような構成のような、処理デバイスの組み合わせのことを指してもよい。
【００７５】
用語“メモリ”は、電子情報を記憶することが可能な何らかの電子的なコンポーネントを含むように広く解釈すべきである。用語メモリは、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、消去可能なプログラマブルリードオンリーメモリ（ＥＰＲＯＭ）、電気的に消去可能なＰＲＯＭ（ＥＥＰＲＯＭ）、またはフラッシュメモリ、磁気データ記憶装置または光データ記憶装置、レジスタ等のような、さまざまなタイプのプロセッサ読取可能媒体のことを指してもよい。プロセッサがメモリから情報を読み取る、および／または、メモリに情報を書き込むことができる場合に、メモリは、プロセッサと電子的に通信していると言われる。プロセッサに一体化しているメモリは、プロセッサと電子的に通信している。
【００７６】
用語“命令”および“コード”は、何らかのタイプのコンピュータ読取可能なステートメントを含むように広く解釈すべきである。例えば、用語“命令”および“コード”は、１つ以上のプログラム、ルーチン、サブルーチン、関数、手順等のことを指してもよい。“命令”および“コード”は、単一のコンピュータ読取可能なステートメントまたは多くのコンピュータ読取可能なステートメントを含んでいてもよい。
【００７７】
ここで説明した機能は、ハードウェアで、ソフトウェアで、ファームウェアで、または、これらのものを組み合わせた任意のもので実現してもよい。ソフトウェアで実現した場合、関数は、１つ以上の命令として、コンピュータ読取可能媒体上に記憶してもよい。用語“コンピュータ読取可能媒体”または“コンピュータプログラムプロダクト”は、コンピュータによりアクセスできる何らかの利用可能な媒体のことを指す。事例として、これらに限定されないが、コンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。
【００７８】
ソフトウェアまたは命令は、送信媒体を介しても送信してもよい。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または他の遠隔ソースから送信される場合には、同軸ケーブル、光ファイバケーブル、撚り対、ＤＳＬ、あるいは、赤外線、無線、およびマイクロ波のようなワイヤレス技術は、送信媒体の定義に含まれる。
【００７９】
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が、説明されている方法の適切な動作に対して必要とされない限り、特定のステップおよび／またはアクションの順序ならびに／あるいは使用は、特許請求の範囲から逸脱することなく、修正することができる。
【００８０】
さらに、図３、図７、図１１、図１４、および図１６により示されたもののような、ここで説明した方法および技術を実行するためのモジュールおよび／または他の適切な手段が、デバイスよりダウンロードできるか、および／または、そうでなければ、デバイスにより取得できることを正しく認識すべきである。例えば、ここで説明した方法を実行するための手段の伝送を促進するために、デバイスをサーバに結合することができる。代替的に、記憶装置手段（例えば、ランダムアクセスメモリ（ＲＡＭ）や、リードオンリーメモリ（ＲＯＭ）や、コンパクトディスク（ＣＤ）またはフロッピーディスクのような物理的な記憶媒体等）を介して、ここで説明したさまざまな方法を提供することができる。これにより、記憶装置手段をデバイスに結合または提供すると、デバイスが、さまざまな方法を取得できる。さらに、ここで説明した方法および技術をデバイスに提供するための他の何らかの適切な技術を利用することができる。
【００８１】
特許請求の範囲は、上記で示したまさにその構成およびコンポーネントに限定されるものではないことが理解される。さまざまな修正、変更、およびバリエーションが、ここで説明したシステム、方法、ならびに装置の構成、動作、および詳細において、特許請求の範囲から逸脱することなく行われてもよい。
【図１】
2012504370.tif 000003
【図２】
2012504370.tif 000004
【図３】
2012504370.tif 000005
【図４】
2012504370.tif 000006
【図５】
2012504370.tif 000007
【図６】
2012504370.tif 000008
【図７】
2012504370.tif 000009
【図８】
2012504370.tif 000010
【図９】
2012504370.tif 000011
【図１０】
2012504370.tif 000012
【図１１】
2012504370.tif 000013
【図１２】
2012504370.tif 000014
【図１３】
2012504370.tif 000015
【図１４】
2012504370.tif 000016
【図１５】
2012504370.tif 000017
【図１６】
2012504370.tif 000018
【図１７】
2012504370.tif 000019
【図１８】
2012504370.tif 000020
【国際調査報告】
2012504370.tif 000021
2012504370.tif 000022
2012504370.tif 000023